(57)【要約】【課題】走行用前照灯から放たれた照明光が車両の搭乗者や歩道上の歩行者を眩惑させる問題を有効に回避する。【解決手段】自車線の路肩または対向車線の路肩を指向して光を照射する光源セグメントが複数の光源を具備し、そのうちの一方の光源から出射により当該光源セグメントと同等の高さに位置する水平面よりも上方の領域を照明し、他方の光源が当該光源セグメントと同等の高さに位置する水平面よりも下方の領域を照明する車両の走行用前照灯を構成した。【選択図】図８
2018107039.tif 000002
【特許請求の範囲】
【請求項１】
自車線の路肩または対向車線の路肩を指向して光を照射する光源セグメントが複数の光源を具備し、そのうちの一方の光源により当該光源セグメントと同等の高さに位置する水平面よりも上方の領域を照明し、他方の光源により当該光源セグメントと同等の高さに位置する水平面よりも下方の領域を照明する車両の走行用前照灯。
【発明の詳細な説明】
【技術分野】
【０００１】
本発明は、車両に装備される走行用前照灯に関する。
【背景技術】
【０００２】
近時、夜間に車両の前方にある交通上の障害物を適切に確認でき、かつ照射光線が対向車や先行車の交通を妨げないような、配光可変型前照灯システムが開発されている。配光可変型前照灯システムは、車載のカメラで撮影した画像を解析して対向車や先行車を検出し、当該対向車または先行車の存在する領域以外の領域に向けて照明光を正射する状態を維持しながら、当該対向車または先行車の存在する領域に限って照明光を照射しないようにするものである。配光可変型前照灯システムにより、対向車または先行車の搭乗者を眩惑させずに走行用前照灯（ハイビーム）を使用して安全に夜間走行を行うことができる。
【０００３】
前照灯の配光パターンを変化させるための具体的な仕組みとしては、光源から放たれる光を反射させるリフレクタをアクチュエータにより駆動して光軸の向きを変位させる態様のもの（例えば、下記特許文献１を参照）や、多数の独立した光源の点灯／消灯を頻繁に切り換えることで照明光の照射範囲を細かく制御する態様のもの（例えば、下記非特許文献１を参照）が知られている。
【先行技術文献】
【特許文献】
【０００４】
【特許文献１】特開２０１６−１２０８７１号公報
【非特許文献】
【０００５】
【非特許文献１】“Ａｕｄｉ（登録商標）マトリックスＬＥＤヘッドライト”、［ｏｎｌｉｎｅ］、アウディ  アクチェンゲゼルシャフト、［平成２８年１２月１５日検索］、インターネット＜ＵＲＬ：http://www.audi.co.jp/jp/brand/ja/vorsprung_durch_technik/content/2013/10/audi-a8-in-a-new-radiant-light.html＞
【発明の概要】
【発明が解決しようとする課題】
【０００６】
走行用前照灯を構成する複数の光源セグメントのうち、車両の搭乗者から見て最も外側方を照明する光源セグメントから照射される照明光、即ち自車線の路肩を指向する照明光は、道路標識等に当たって反射し、その強い反射光が車両の搭乗者に眩しさを感じさせることがある。また、上記の照明光が、自車線の路肩に隣接した歩道を通行する歩行者の顔を直射する懸念もある。
【０００７】
並びに、対向車線の路肩を指向する照明光は、対向車線を走行する対向車の搭乗者や、対向車線の路肩に隣接した歩道を通行する歩行者の顔を直射する直射する懸念がある。
【０００８】
本発明は、走行用前照灯から放たれた照明光が車両の搭乗者や歩道上の歩行者を眩惑させる問題を有効に回避することを所期の目的としている。
【課題を解決するための手段】
【０００９】
本発明では、自車線の路肩または対向車線の路肩を指向して光を照射する光源セグメントが複数の光源を具備し、そのうちの一方の光源により当該光源セグメントと同等の高さに位置する水平面よりも上方の領域を照明し、他方の光源により当該光源セグメントと同等の高さに位置する水平面よりも下方の領域を照明する車両の走行用前照灯を構成した。
【００１０】
このようなものであれば、後者の光源を点灯させたままで前者の光源を消灯し、または前者の光源から放たれる光束の量を減少させることが可能となる。従って、自車線の路肩または対向車線の路肩を後者の光源により照明して必要な視野を確保しつつも、歩道上の歩行者や対向車の搭乗者の顔面、あるいは路肩の道路標識に直接向かう光量を減光することができる。
【発明の効果】
【００１１】
本発明によれば、走行用前照灯から放たれた照明光が車両の搭乗者や歩道上の歩行者を眩惑させる問題を有効に回避することができる。
【図面の簡単な説明】
【００１２】
【図１】本発明の一実施形態において車両の反対向車線側（左側）の部位に設置する複数の光源セグメントの配光パターンの例を模式的に示す平面図。
【図２】同実施形態の車両の反対向車線側の部位に設置する複数の光源セグメントの配光パターンを車両に正対するスクリーンに投影した状態を模式的に示す図。
【図３】同実施形態の車両の反対向車線側の部位に設置する特定の光源セグメントの照明光の照射範囲を模式的に示す側面図。
【図４】同実施形態において車両の対向車線側（右側）の部位に設置する複数の光源セグメントの配光パターンの例を模式的に示す平面図。
【図５】同実施形態の車両の対向車線側の部位に設置する複数の光源セグメントの配光パターンを車両に正対するスクリーンに投影した状態を模式的に示す図。
【図６】同実施形態において対向車が存在する状況下での複数の光源セグメントの点灯／消灯の状態を模式的に示す平面図。
【図７】同実施形態において先行車が存在する状況下での複数の光源セグメントの点灯／消灯の状態を模式的に示す平面図。
【図８】同実施形態の車両に設置する特定の光源セグメントの照明光の照射範囲を模式的に示す側面図。
【図９】同実施形態の車両に設置する特定の光源セグメントの構造を示す斜視図。
【図１０】同実施形態の車両に設置する特定の光源セグメントの構造を模式的に示す側断面図。
【発明を実施するための形態】
【００１３】
本発明の一実施形態を、図面を参照して説明する。本実施形態の車両Ｃの走行用前照灯は、車両Ｃの前端部における左右の側部にそれぞれ複数個の光源セグメントを設置してなるものである。各光源セグメントは、照明光を放射する照明光源、例えば発光ダイオードと、照明光源から放射される照明光を車両Ｃの前方に向けるリフレクタとを要素とする。各光源セグメントの照明光源は、互いに独立に点灯／消灯させることが可能である。照明光源から放たれる光束の量の制御は、例えば、当該光源に印加する平均の電流量をＦＥＴ（Ｆｉｅｌｄ  Ｅｆｆｅｃｔ  Ｔｒａｎｓｉｓｔｏｒ）その他の半導体スイッチング素子を介して増減させるＰＷＭ（Ｐｕｌｓｅ  Ｗｉｄｔｈ  Ｍｏｄｕｌａｔｉｏｎ）制御により実現できる。
【００１４】
本実施形態の走行用前照灯は、車両Ｃの左側部及び右側部に四個ずつ光源セグメントを備えている。図１ないし図５に、各光源セグメントの配光パターンの一例を示す。なお、この図示例の配光パターンは、左側通行を採用する国または地域を想定したものであり、右側通行を採用する国または地域に適用する際にはこれを左右反転させる必要がある。
【００１５】
従来の車両の走行用前照灯では、車両Ｃの搭乗者（または、運転者）から見て左側に設置した光源セグメントが主として車両中心線よりも左方の領域を照らし、右側に設置した光源セグメントが主として車両中心線よりも右方の領域を照らしていた。このようなものであると、配光可変型前照灯システムが対向車の存在を検出したとき、当該対向車に対して強い光を照射しないために、右側の光源セグメントの大半を消灯することとなる。結果、車両の前方、特に自車線ＣＬの右半部を照明する光量が減少し、遠方の障害物の視認性が低下するおそれがあった。対向車の搭乗者を眩惑させることを回避し、かつ遠方の障害物の視認性を十分に確保するには、光源セグメントの個数を増やさざるを得ないが、光源セグメント数の増加はコストの増大に直結する。
【００１６】
これに対し、本実施形態では、車両Ｃの搭乗者から見て左側に設置した光源セグメントが車両中心線よりも右方の領域を照らし、右側に設置した光源セグメントが車両中心線よりも左方の領域を照らすように配光している。
【００１７】
詳述すると、搭乗者から見て左側に設置した第一光源セグメント、第二光源セグメント、第三光源セグメント及び第四光源セグメントの四個の光源セグメントのうち、第一光源セグメントは、自車線ＣＬに沿った前方を照明する。図２に示す例に則して述べると、第一光源セグメントから放たれる照明光１０を車両Ｃに正対する（車両Ｃの前方１０ｍの距離に設立した）スクリーンに投影して運転席から（車両Ｃの前方を向いて）見たとき、車両中心線を含み車両Ｃの進行方向と平行な鉛直面Ａと車両Ｃの前端部との交点を基点として右方に少しく偏倚した角度から左方に偏倚した角度までの領域が、その照明光１０の照射範囲に含まれる。
【００１８】
第二光源セグメントは、自車線ＣＬよりも寧ろ対向車線ＯＬを照明する。第二光源セグメントから放たれる照明光２０を車両Ｃに正対するスクリーンに投影して運転席から見たとき、車両中心線を含み車両Ｃの進行方向と平行な鉛直面Ａから右方に偏倚した領域が、その照明光２０の照射範囲に含まれる。
【００１９】
第三光源セグメントは、運転席から見て、第二光源セグメントが照明する領域よりもさらに右方の領域を照明する。その光軸は、車両Ｃの前方１００ｍ超の地点の対向車線ＯＬの路肩の辺りを指向する。第三光源セグメントから放たれる照明光３１、３２を車両Ｃに正対するスクリーンに投影して運転席から見たとき、車両中心線を含み車両Ｃの進行方向と平行な鉛直面Ａから右方により偏倚した領域が、その照明光３１、３２の照射範囲に含まれる。第二光源セグメント及び第三光源セグメントの光軸は、車両中心線を含む鉛直面Ａよりも右方を指向している。これら第二光源セグメント及び第三光源セグメントは、車両中心線を含む鉛直面Ａよりも右側（特に、対向車線ＯＬ）に存在する障害物を照明するものであり、車両中心線を含む鉛直面Ａよりも左側（特に、自車線ＣＬ及びその路肩）に存在する障害物を積極的に照明しようとしていない。図１に示しているように、第二光源セグメント及び第三光源セグメントは、搭乗者から見て車両Ｃの左側端よりも左方に照明光２０、３１、３２を照射しない。なお、詳しくは後述するが、第三の光源セグメントは複数の光源Ｌ１、Ｌ２を有しており、一方の光源Ｌ１から出射する照明光３１は当該光源セグメントと同等の高さに位置する水平面（路面と平行な面）Ｈよりも上方の領域を照明し、他方の光源Ｌ２から出射する照明光３２は当該光源セグメントと同等の高さに位置する水平面Ｈよりも下方の領域を照明する。つまり、第三光源セグメントによる照明範囲は、水平面Ｈを境として上下に二分割される。
【００２０】
並びに、第四光源セグメントは、自車線ＣＬに沿った前方を照明する。第四光源セグメントから放たれる照明光４０を車両Ｃに正対するスクリーンに投影して運転席から見たとき、車両中心線を含み車両Ｃの進行方向と平行な鉛直面Ａと車両Ｃの前端部との交点を基点として右方に偏倚した角度から左方に偏倚した角度までの領域が、その照明光４０の照射範囲に含まれる。
【００２１】
搭乗者から見て左側に設置した光源セグメントによる照明光１０、２０、３１、３２、４０の照射範囲の分解能は、車両中心線を含む鉛直面Ａよりも右方においてより細かく、車両中心線を含む鉛直面Ａよりも左方においてより粗い。つまり、搭乗者から見て左側に設置した各光源セグメントの照明光源の点灯／消灯の切り換えを通じて、車両中心線を含む鉛直面Ａよりも右方における照明光１０、２０、３１、３２、４０の照射範囲を細かく制御することが可能である。
【００２２】
第一光源セグメント及び第二光源セグメントの光軸は、水平方向即ち路面と平行な方向に設定する。第一光源セグメント及び第二光源セグメントが放つ照明光１０、２０は、既存の走行用前照灯と同様に車両Ｃの前方を正射、即ち路面と平行な方向（水平方向）ないしそれよりも上方に向かう。これに対し、第四光源セグメントの光軸は、路面と交差する斜め下方を向き、路面との交差地点において車両中心線を含む鉛直面Ａまたはその近傍に到達するように設定する。図３に示しているように、第四光源セグメントが放つ照明光４０は、主として路面と平行な方向よりも下方に向かい（但し、路面と平行な方向ないしそれよりも上方に向けて、人の目を眩惑させない程度の減光された光が放射されることはあり得る）、車両Ｃの前方５０ｍないしその数ｍ手前の地点から１００ｍ超（例えば、１２０ｍ）の地点までの路面及び当該路面上に存在する障害物を照明する。この第四光源セグメントは、車両Ｃに装備されたすれ違い用前照灯（ロービーム）が照射する照明光９０よりは遠方の領域を照明する、いわばハイビームとロービームとの中間の「ミドルビーム」となる。
【００２３】
搭乗者から見て右側に設置した第五光源セグメント、第六光源セグメント、第七光源セグメント及び第八光源セグメントの四個の光源セグメントのうち、第五光源セグメントは、運転席から見て大きく左方に偏倚した領域を照明する。その光軸は、車両Ｃの前方１００ｍ超の地点の自車線ＣＬの路肩の辺りを指向する。図５に示す例に則して述べると、第五光源セグメントから放たれる照明光５１、５２を車両Ｃに正対するスクリーンに投影して運転席から（車両Ｃの前方を向いて）見たとき、車両中心線を含み車両Ｃの進行方向と平行な鉛直面Ａから左方に偏倚した領域が、その照明光５１、５２の照射範囲に含まれる。なお、詳しくは後述するが、第五の光源セグメントは複数の光源Ｌ１、Ｌ２を有しており、一方の光源Ｌ１から出射する照明光５１は当該光源セグメントと同等の高さに位置する水平面Ｈよりも上方の領域を照明し、他方の光源Ｌ２から出射する照明光５２は当該光源セグメントと同等の高さに位置する水平面Ｈよりも下方の領域を照明する。つまり、第三光源セグメントによる照明範囲は、水平面Ｈを境として上下に二分割される。
【００２４】
第六光源セグメントは、運転席から見て、第五光源セグメントが照明する領域よりはやや右方即ち車両中心線寄りの領域、車両Ｃの前方１００ｍ程度の地点までの自車線ＣＬの左半部を含む領域を照明する。第六光源セグメントから放たれる照明光６０を車両Ｃに正対するスクリーンに投影して運転席から見たとき、車両中心線を含み車両Ｃの進行方向と平行な鉛直面Ａから左方に偏倚した領域が、その照明光６０の照射範囲に含まれる。
【００２５】
第七光源セグメントは、運転席から見て、第六光源セグメントが照明する領域よりもやや右方、自車線ＣＬの大半部を含む領域を照明する。第七光源セグメントから放たれる照明光７０を車両Ｃに正対するスクリーンに投影して運転席から見たとき、車両中心線を含み車両Ｃの進行方向と平行な鉛直面Ａから左方に偏倚した領域が、その照明光７０の照射範囲に含まれる。第五光源セグメント、第六光源セグメント及び第七光源セグメントの光軸は、車両中心線を含む鉛直面Ａよりも左方を指向している。これら第五光源セグメント、第六光源セグメント及び第七光源セグメントは、車両中心線を含む鉛直面Ａよりも左側（特に、自車線ＣＬ及びその路肩）に存在する障害物を照明するものであり、車両中心線を含む鉛直面Ａよりも右側（特に、対向車線ＯＬ及びその路肩）に存在する障害物を積極的に照明しようとしていない。図４に示しているように、第五光源セグメント、第六光源セグメント及び第七光源セグメントは、搭乗者から見て車両Ｃの右側端よりも右方に照明光５１、５２、６０、７０を照射しない。
【００２６】
並びに、第八光源セグメントは、自車線ＣＬに沿った前方を照明する。第八光源セグメントから放たれる照明光８０を車両Ｃに正対するスクリーンに投影して運転席から見たとき、車両中心線を含み車両Ｃの進行方向と平行な鉛直面Ａと車両Ｃの前端部との交点を基点として左方に少しく偏倚した角度から右方に偏倚した角度までの領域が、その照明光８０の照射範囲に含まれる。
【００２７】
搭乗者から見て右側に設置した光源セグメントによる照明光５１、５２、６０、７０、８０の照射範囲の分解能は、車両中心線を含む鉛直面Ａよりも左方においてより細かく、車両中心線を含む鉛直面Ａよりも右方においてより粗い。つまり、搭乗者から見て右側に設置した各光源セグメントの照明光源の点灯／消灯の切り換えを通じて、車両中心線を含む鉛直面Ａよりも左方における照明光５１、５２、６０、７０、８０の照射範囲を細かく制御することが可能である。
【００２８】
第六光源セグメント、第七光源セグメント及び第三光源セグメントの光軸は、水平方向即ち路面と平行な方向に設定する。第六光源セグメント、第七光源セグメント及び第八光源セグメントが放つ照明光６０、７０、８０は、既存の走行用前照灯と同様、車両Ｃの前方そして無限遠方を正射する。
【００２９】
しかして、本実施形態では、車両Ｃの搭乗者から見て最も左右の外側方を照明する光源セグメント、即ち対向車線ＯＬの路肩を指向して照明光３１、３２を照射する第三の光源セグメント、及び自車線ＣＬの路肩を指向して照明光５１、５２を照射する第五の光源セグメントが、それぞれ複数の光源Ｌ１、Ｌ２を具備している。一方の光源Ｌ１は、当該光源セグメントと同等の高さに位置する水平面Ｈよりも上方の領域を照明する照明光３１、５１を出射する。他方の光源Ｌ２は、当該光源Ｌ２と同等の高さに位置する水平面Ｈよりも下方の領域を照明する照明光３２、５２を出射する。
【００３０】
図９及び図１０に、第三光源セグメント及び第五光源セグメントの構造を示している。第三光源セグメント及び第五光源セグメントにおいては、基板Ｓの下向面に二個の光源Ｌ１、Ｌ２、例えば発光ダイオードを前後方向に沿って配列しており、それら光源Ｌ１、Ｌ２の各々から下方に出射する照明光３１、５１、３２、５２を凹面状をなすリフレクタＲの前向面に当て、当該リフレクタＲで反射させて車両Ｃの前方に放射するようにしている。
【００３１】
基板Ｓ上で前方に所在する光源Ｌ１から出射する照明光３１、５１の主光軸は、リフレクタＲに当たって反射されることで、水平面Ｈよりも斜め上方を向く。これに対し、基板Ｓ上で光源Ｌ１よりも後方に所在する光源Ｌ２から出射する照明光３２、５２の主光軸は、リフレクタＲにおける照明光３１、５１の主光軸が当たる箇所と同じ箇所またはその近傍の箇所に当たる。そして、リフレクタＲで反射されることで、水平面Ｈよりも斜め下方を向く。
【００３２】
第三の光源セグメント及び第五の光源セグメントのそれぞれにおける照明光源Ｌ１、Ｌ２は、互いに独立に点灯／消灯させることが可能である。既に述べた通り、照明光源Ｌ１、Ｌ２から放たれる光束の量の制御は、例えば、当該光源に印加する平均の電流量をＦＥＴその他の半導体スイッチング素子を介して増減させるＰＷＭ制御により実現できる。
【００３３】
図２、図５及び図８に示しているように、前者の照明光３１、５１の照明範囲と、後者の照明光３２、５２の照明範囲とは、若干オーバラップしているものの、基本的には水平面Ｈによって隔てられている。特に、後者の照明光３２、５２の照明範囲の上縁はカットオフライン（明瞭境界線）を有していて、そのカットオフラインは、第三の光源セグメントまたは第五の光源セグメントと同等の高さに位置する水平面Ｈの近傍にある。
【００３４】
本実施形態における車両Ｃの配光可変型前照灯システムの制御を司る電子制御装置（Ｅｌｅｃｔｒｏｎｉｃ  Ｃｏｎｔｒｏｌ  Ｕｎｉｔ）は、車両Ｃの前方を撮影することのできる車載カメラ（イメージセンサ）で撮影した動画像を解析し（当該画像内に現れる対向車Ｏの前照灯や先行車Ｆの尾灯、歩行者等を検出して）、対向車線ＯＬを走行する対向車Ｏ、自車線ＣＬを走行する先行車Ｆ、及び／または、歩道上の歩行者等の存在を認識する。そして、その対向車Ｏ、先行車Ｆ、歩行者等に対して照明光１０、２０、３１、３２、４０、５１、５２、６０、７０、８０を照射することとなる光源セグメントの照明光源を適時消灯、または当該光源から出射する光束の量を平常よりも減光しながら、それ以外の光源セグメントの照明光源を点灯させた状態に維持する。
【００３５】
例えば、図６に示すように、車両Ｃの前方２００ｍ付近の地点における対向車線ＯＬ上に対向車Ｏが存在するときには、当該対向車Ｏを照明光１０、２０、８０の照射範囲に捉えた光源セグメント、即ち第一光源セグメント、第二光源セグメント及び第八光源セグメント（の照明光源）を消灯または減光しつつ、当該対向車Ｏを照明光３１、３２、４０、５１、５２、６０、７０の照射範囲に捉えていない光源セグメント、即ち第三光源セグメント、第四光源セグメント、第五光源セグメント、第六光源セグメント及び第七光源セグメント（の照明光源）を点灯させる。これにより、車両Ｃの前方を照明する光量を必要十分に確保しながらも、対向車Ｏの搭乗者を眩惑させることを回避できる。以後、対向車Ｏとの距離が縮まるにつれて、対向車Ｏを照明光１０、２０、３１、３２、４０、５１、５２、６０、７０、８０の照射範囲に捉える光源セグメントが変化するので、その都度消灯または減光する光源セグメント及び点灯する光源セグメントを切り換えてゆく。
【００３６】
また、図７に示すように、車両Ｃの前方２００ｍ付近の地点における自車線ＣＬ上に先行車Ｆが存在するときには、当該先行車Ｆを照明光１０、７０、８０の照射範囲に捉えた光源セグメント、即ち第一光源セグメント、第七光源セグメント及び第八光源セグメント（の照明光源）を消灯または減光しつつ、当該対向車Ｏを照明光２０、３１、３２、４０、５１、５２、６０の照射範囲に捉えていない光源セグメント、即ち第二光源セグメント、第三光源セグメント、第四光源セグメント、第五光源セグメント及び第六光源セグメント（の照明光源）を点灯させる。これにより、車両Ｃの前方を照明する光量を必要十分に確保しながらも、先行車Ｆの搭乗者を眩惑させることを回避できる。先行車Ｆとの距離が変化した際には、先行車Ｆを照明光１０、２０、３１、３２、４０、５１、５２、６０、７０、８０の照射範囲に捉える光源セグメントが変化するので、その都度消灯または減光する光源セグメント及び点灯する光源セグメントを切り換える。
【００３７】
さらに、自車線ＣＬの路肩に隣接する歩道上を通行する歩行者や道路標識が存在するときには、第三の光源セグメントの光源Ｌ２を点灯させたまま、第三の光源セグメントの光源Ｌ１を消灯し、またはその光源Ｌ１から出射する光束の量を平常よりも減らす。これにより、照明光３２による自車線ＣＬの路肩側の照明を維持しながら、照明光３１を消光または減光して、自車線ＣＬ側の歩道上の歩行者の眩惑を防止することができる。照明光３１が自車線ＣＬ側の道路標識に当たって反射し、強い反射光が車両Ｃの搭乗者の目に入る問題も回避できる。
【００３８】
対向車線ＯＬ上を走行する対向車Ｏや、対向車線ＯＬの路肩に隣接する歩道上を通行する歩行者が存在するときには、第五の光源セグメントの光源Ｌ２を点灯させたまま、第五の光源セグメントの光源Ｌ１を消灯し、またはその光源Ｌ１から出射する光束の量を平常よりも減らす。これにより、照明光５２による対向車線ＯＬの路肩側の照明を維持しながら、照明光５１を消光または減光して、対向車Ｏの搭乗者や対向車線ＯＬ側の歩道上の歩行者の眩惑を防止することができる。
【００３９】
本実施形態の走行用前照灯では、車両Ｃにおける車両中心線よりも対向車線側（搭乗者から見て右側）の部位に設置する複数の光源セグメントのうち、自車線ＣＬまたは自車線ＣＬよりも反対向車線側（搭乗者から見て左側）を指向して光５１、５２、６０、７０を照射する光源セグメント（第五光源セグメント、第六光源セグメント、第七光源セグメント）の数を、対向車線側（搭乗者から見て右側）を指向して光８０を照射する光源セグメント（第八光源セグメント）の数よりも多くしている。
【００４０】
これにより、対向車Ｏの搭乗者の眩惑を回避するべく対向車Ｏに向けて照明光１０、２０、３１、３２、４０、８０を照射する光源セグメントを消灯したとしても、点灯状態にある他の光源セグメントが、車両Ｃの前方（特に、自車線ＣＬの右半部）を必要十分に照明することができる。換言すれば、対向車Ｏが存在する状況下において、消灯する光源セグメントの個数を減らし、点灯させて自車線ＣＬ及び自車線ＣＬの路肩を照明する光源セグメントの個数を増すことができる。従って、夜間走行における障害物の視認性が改善し、ひいては夜間走行の安全性が向上する。そして、照明光量を増すために多数個の光源セグメントを車両Ｃに設置する必要はなく、低コストで有用な配光可変型前照灯システムを構築することが可能となる。
【００４１】
加えて、車両Ｃの対向車線側の部位に設置した光源セグメントが車両中心線よりも反対向車線側、即ち自車線ＣＬないし自車線ＣＬの路肩を照らす一方、車両Ｃの反対向車線側の部位に設置した光源セグメントが車両中心線よりも対向車線側、即ち対向車線ＯＬないし対向車線ＯＬの路肩を照らすというように、光軸がクロスする配光パターンと採用したことから、先行車Ｆがある程度の距離まで接近してきたとしても、多くの光源セグメントを消灯せず点灯させた状態に維持することが可能となる。遠方に位置する先行車Ｆがカーブに差し掛かったときにも、光源セグメントが放つ照明光が当該先行車Ｆに当たりにくく、当該先行車Ｆの搭乗者を眩惑させない。
【００４２】
並びに、本実施形態の走行用前照灯は、車両Ｃにおける車両中心線よりも反対向車線側（搭乗者から見て左側）の部位に設置する複数の光源セグメントとして、路面と平行な方向を指向して光１０、２０を照射する光源セグメントである第一光源セグメント及び第二光源セグメントと、路面と交差する斜め下方を指向して光４０を照射し、車両Ｃの前方５０ｍの地点から１００ｍの地点までの路面を光４０の照射範囲に含む光源セグメントである第四光源セグメントとを備えている。
【００４３】
このようなものであれば、遠方の先行車Ｆの存在を検知したときに、直ちに車両Ｃの前方の照明を走行用前照灯からすれ違い用前照灯に切り換える必要がなくなる。即ち、先行車Ｆとの距離が１００ｍ程度に接近するまでは、第四光源セグメントを消灯せず点灯させた状態に維持して、その照明範囲４０を照明し続けることが可能となる。ひいては、走行用前照灯の照明範囲１０、２０からすれ違い用前照灯の照明範囲９０への急変を回避できる。
【００４４】
車両Ｃの前方４０ｍ付近の路面に向けて光を照射するすれ違い用前照灯では、車両Ｃの前方５０ｍ以遠の地点に存在する障害物を照明することができない。先行車Ｆの搭乗者を眩惑させないために、走行用前照灯を使用せずすれ違い用前照灯を使用することは、夜間の走行中に前方の障害物の発見が遅れるリスクを増大させる。本実施形態のように、走行用前照灯の構成要素として、路面と交差する斜め下方を指向して光４０を照射しすれ違い用照明灯による光の照射範囲よりも前方の路面を光４０の照射範囲に含む光源セグメント、例えば車両Ｃの前方５０ｍの地点から１００ｍの地点までの路面を光４０の照射範囲に含む光源セグメントを設けておけば、当該光源セグメントを点灯させつつ他の光源セグメントを必要に応じて消灯し、先行車Ｆの搭乗者の眩惑を回避しながら、車両Ｃの前方５０ｍ以遠の地点に存在する障害物を照明してその視認性を高めることができる。
【００４５】
また、上述の第四光源セグメントは、車載のカメラで撮影した画像を解析して車両Ｃの前方の障害物の存在を認識し、車両Ｃが当該障害物に衝突する直前に車両Ｃを自動で制動する衝突被害軽減ブレーキシステムの性能向上にも寄与する。走行用前照灯に代えてすれ違い用前照灯を点灯させる場合と、走行用前照灯の第四光源セグメントを点灯させる場合とでは、後者の方がより遠方の障害物を照明することが可能であり、その分だけシステムが早期に障害物の存在を認識するに至り、特に高速走行時の障害物への衝突回避の確実性が増すことになる。
【００４６】
自車線ＣＬの路肩または対向車線ＯＬの路肩を指向して光３１、３２、５１、５２を照射する光源セグメント（第三の光源セグメント及び第五の光源セグメント）は複数の光源Ｌ１、Ｌ２を具備しており、そのうちの一方の光源Ｌ１により当該光源セグメントと同等の高さに位置する水平面Ｈよりも上方の領域を照明し、他方の光源Ｌ２により当該光源セグメントと同等の高さに位置する水平面Ｈよりも下方の領域を照明するようにしている。これにより、前者の光源Ｌ１から放たれる照明光３１、５１を適宜消光しまたは減光することが可能となり、照明光３１、５１が車両Ｃ、Ｏの搭乗者や歩道上の歩行者を眩惑させる問題を有効に回避できるようになる。
【００４７】
なお、本発明は以上に詳述した実施形態に限られるものではない。光源セグメントの個数や配光パターンが、上記実施形態に限定されないことは言うまでもない。各光源セグメントから放たれる光の照射範囲（の角度、光軸の向き）は、照明光源のパワーに応じて調整する。
【００４８】
その他、各部の具体的な構成は、本発明の趣旨を逸脱しない範囲で種々変形が可能である。
【産業上の利用可能性】
【００４９】
本発明は、車両に装備される走行用前照灯に適用することができる。
【符号の説明】
【００５０】
１０…第一光源セグメントの照明光
２０…第二光源セグメントの照明光
３１、３２…第三光源セグメントの照明光
４０…第四光源セグメントの照明光
５１、５２…第五光源セグメントの照明光
６０…第六光源セグメントの照明光
７０…第七光源セグメントの照明光
８０…第八光源セグメントの照明光
Ａ…車両中心線を含み車両の進行方向と平行な鉛直面
Ｃ…車両
ＣＬ…自車線
Ｆ…先行車
Ｈ…光源セグメントと同等の高さに位置する水平面
Ｌ１、Ｌ２…光源
Ｏ…対向車
ＯＬ…対向車線
【図１】
2018107039.tif 000003
【図２】
2018107039.tif 000004
【図３】
2018107039.tif 000005
【図４】
2018107039.tif 000006
【図５】
2018107039.tif 000007
【図６】
2018107039.tif 000008
【図７】
2018107039.tif 000009
【図８】
2018107039.tif 000010
【図９】
2018107039.tif 000011
【図１０】
2018107039.tif 000012